(57)【要約】【課題】  浴室ドアに設けられたガラリ部を大きくすることなく、浴室ドアを閉塞するに当たって、重たいと感じさせず操作性の良い浴室用開きドアを提供する。【解決手段】  浴室に該浴室外側へ向けて開放するように開閉自在に設置した浴室ドア本体１と、該浴室ドア本体１に設けられ浴室内外方向の通気を可能とするガラリ部２と、該ガラリ部２とは別に浴室ドア本体１に設けられ浴室内外方向を連通する開口部３とを設ける。そして、浴室内部Ａから浴室外部Ｂへ空気を通流させると共に浴室外部Ｂから浴室内部Ａへの空気の通流を阻止する逆止弁４を前記開口部３を閉塞するようにして設けた。【選択図】        図１
2010031525.tif 000002
【特許請求の範囲】
【請求項１】
浴室に該浴室外側へ向けて開放するように開閉自在に設置した浴室ドア本体と、該浴室ドア本体に設けられ浴室内外方向の通気を可能とするガラリ部と、該ガラリ部とは別に浴室ドア本体に設けられ浴室内外方向を連通する開口部と、該開口部を閉塞するようにして設けられ浴室内部から浴室外部へ空気を通流させると共に浴室外部から浴室内部への空気の通流を阻止する逆止弁と、を備えて成ることを特徴とする逆止弁付き浴室用開きドア。
【請求項２】
前記開口部に該開口部を閉塞するようにして設けられ浴室内部から浴室外部へ空気を通流させると共に浴室外部から浴室内部への空気の通流を阻止する複数の逆止弁を備えて成ることを特徴とする請求項１記載の逆止弁付き浴室用開きドア。
【発明の詳細な説明】
【技術分野】
【０００１】
本発明は、浴室に設置する浴室ドアに関するものである。
【背景技術】
【０００２】
従来から、浴室内外の通気を可能とするガラリ部が取付けられた浴室用開きドアが知られている（例えば特許文献１参照）。この浴室用開きドア（以下、浴室ドアという）のガラリ部は、浴室内外の通気や換気ができるようになっているため、浴室ドアを閉塞して浴室が密閉状態となったときに、浴室換気装置等を作動させたとしても、浴室内が負圧状態となるのを回避できるようになっている。
【特許文献１】特開平５−２５６０５８号公報
【発明の開示】
【発明が解決しようとする課題】
【０００３】
ところで、通常、浴室は湿気が外部に漏出するのを防ぐために気密性を高めた構造となっているので、例えば、浴室ドアを浴室外側（例えば脱衣室側）へ回動させて開放する浴室ドアにあっては、入浴者が浴室を使用するに当たって開放された浴室ドアを閉塞する際に、該浴室ドアが浴室外の空気を浴室内に押し込むこととなり、浴室ドアの閉塞により浴室内が密閉状態となる直前から急に浴室内部の気圧が上昇する。浴室ドアに設けられたガラリ部の浴室内外を連通する通気口は、浴室内外を連通してはいるものの、浴室からの水滴等が脱衣室に漏水するのを防ぐために、断面略Ｓ字形状といった複雑な経路としており、また、通気口も小さいため、この浴室ドアを閉塞し密閉状態となる直前の急な気圧の上昇には対応することができず、このとき浴室内は正圧状態となってしまう。そのため、この浴室が密閉される直前には、浴室ドアを閉める力に対する抵抗が生じ、その結果、入浴者は浴室ドアの閉める動作が重たいと感じることとなる。特に、浴室ドアを素早く閉める程この抵抗が大きくなり、より強い操作力が必要となるため、浴室ドアを閉める速度によって操作性に変化が生じてしまうという問題も有している。
【０００４】
そこで、浴室ドアに設けられたガラリ部の通気口を大きくすることで、浴室内が正圧状態となるのを回避し、上記問題を解決することが考えられる。しかしながら、上記の問題を解決する程の大きなガラリ部を設けると、冬季等においては入浴者が寒く感じてしまうという問題が生じてしまう。更に、浴室内の湿気が浴室外にある脱衣室等に多く流出してしまう結果、脱衣室等にカビ等を発生させてしまうといった問題が生じる。
【０００５】
本発明は、上記従来の問題に鑑みてなされたものであり、その目的とするところは、浴室ドアに設けられたガラリ部を大きくすることなく、浴室ドアを閉塞するに当たって、重たいと感じさせず操作性の良い浴室用開きドアを提供することにある。
【課題を解決するための手段】
【０００６】
上記課題を解決するために請求項１に係る発明にあっては、浴室に該浴室外側へ向けて開放するように開閉自在に設置した浴室ドア本体１と、該浴室ドア本体１に設けられ浴室内外方向の通気を可能とするガラリ部２と、該ガラリ部２とは別に浴室ドア本体１に設けられ浴室内外方向を連通する開口部３と、該開口部３を閉塞するようにして設けられ浴室内部Ａから浴室外部Ｂへ空気を通流させると共に浴室外部Ｂから浴室内部Ａへの空気の通流を阻止する逆止弁４と、を備えて成ることを特徴とするものである。
【０００７】
このように構成したことで、ガラリ部２による通気に加えて開口部３が浴室内の空気を浴室外Ｂへ通流できるので、浴室用開きドア６を閉塞するに際して、浴室内が正圧状態となるのを回避することができる。要するに、入浴者が浴室用開きドア６を閉めるに当たって、重たいと感じるといったことがなく、また、浴室用開きドア６の閉める速度によって操作性が変化することもない。その上、逆止弁４が備えられた開口部３とは別にガラリ部２が設けてあるので、浴室用開きドア６が閉塞された状態で浴室換気装置等を作動させたとしても、浴室内が負圧状態となることがなく、閉塞された浴室用開きドア６を開放させる際においても、操作力が大きく必要となることがない。
【０００８】
また、請求項２に係る発明にあっては、請求項１に係る発明において、前記開口部３に該開口部３を閉塞するようにして設けられ浴室内部Ａから浴室外部Ｂへ空気を通流させると共に浴室外部Ｂから浴室内部Ａへの空気の通流を阻止する複数の逆止弁４を備えて成ることを特徴とするものである。
【０００９】
このように構成したことで、複数の逆止弁４が浴室内に生じる正圧の大きさに応じて必要な個数だけ開放させることができるので、開口部３の開口面積を変化させ、浴室用開きドア６を閉塞するに際して必要な力を、該浴室用開きドア６の閉塞する速度によらず常に一定にすることが可能となる。
【発明の効果】
【００１０】
本発明によれば、浴室用開きドアを開閉するに当たり、常に一定の力で操作することができるので、入浴者が該浴室用開きドアを閉めたつもりで閉まっていないといった事態をも回避することができる。即ち、浴室用開きドアの操作性を向上させることで、該浴室用開きドアの閉塞が不完全な状態のまま入浴することがなくなる結果、不完全な扉閉塞状態のままに浴槽や洗い場を使用することによって生じる、脱衣室等といった浴室外への蒸気や湯水の漏水・漏出を回避することができるものである。
【発明を実施するための最良の形態】
【００１１】
以下、本発明について添付図面に基づいて説明する。なお、図１中の矢印Ａを浴室内側とし、矢印Ｂを浴室外側として説明する。
【００１２】
本発明の一実施形態に係る浴室は、浴室換気装置（図示せず）が天井に設置された浴室と、浴槽（図示せず）及び洗い場（図示せず）と、浴室に固定され人が出入り可能な浴室開口部を形成する枠体５と、枠体５に設けられ浴室を閉塞自在とする浴室用開きドア６（以下、浴室ドアという）とで構成されており、浴室外には入浴者が脱衣する脱衣室が隣接して設置され、且つ浴室に設けられた枠体５が、該脱衣室と浴室との間に位置するように設置されている。
【００１３】
浴室ドア６は、図２に示すように、浴室ドア本体１によって主体が構成され、該浴室ドア本体１は、浴室開口部を形成する枠体５の一方の縦枠５ａに設けた枢支部１１により回動自在に連結されており、該枢支部１１の反対側の端部が脱衣室内に引き込まれる（即ち、浴室外方に向けて押し出して開放する）ようになっている。また、該枢支部１１とは反対側の縁辺の前後面には、入浴者が把持して浴室ドアを開閉するための把持部１２が配設されている。更に、浴室ドア本体１の下部には、浴室内外方向の通気をするためのガラリ部２が設置されており、該ガラリ部２の上方にガラリ部２とは別に浴室と脱衣室とを連通する開口部３が形成されている。添付図面に示すように、この開口部３には、浴室内部Ａから脱衣室Ｂ（即ち浴室外部）へ空気を通流させると共に、脱衣室Ｂから浴室内部Ａへの空気の通流を阻止する逆止弁４が、該開口部３を閉塞するように設置されている。
【００１４】
この浴室内外方向を連通する開口部３は、正面視略長矩形状に形成されており、開口部３の下部縁辺の一部又は全部（本実施形態では全部）に上方に向けて突起部４１が突設されている（図１参照）。図１に示すように、該突起部４１は断面においては若干浴室寄りに形成されており、後述するが、逆止弁４の主体を構成する板状の弁蓋４２が浴室側Ａに回動するのを阻止し、且つこの弁蓋４２が垂下できるような位置に突設されている。
【００１５】
前記逆止弁４は、板状の弁蓋４２と、弁蓋４２が浴室側Ａに回動するのを阻止し開口部３下縁辺に突設される前述の突起部４１と、弁蓋４２の上縁に設けられて該弁蓋４２を回動自在に軸支する軸支部４３と、から構成されており、通常は弁蓋４２が自重により下方に垂下した状態となっている。この弁蓋４２が垂下した状態では開口部３が略隙間無く閉塞されているが、弁蓋４２と開口部３縁辺とは引っ掛り無くスムーズに開閉できるようになっている。
【００１６】
また、この逆止弁４は開口部３に対して複数の逆止弁４が設置されている（本実施形態では３箇所）。即ち、各逆止弁４が独立して開閉動作をするようになっている。
【００１７】
前記ガラリ部２は、浴室側Ａに臨んで開口する浴室内開口２１と、脱衣室側Ｂに臨んで開口する浴室外開口２２と、浴室内開口２１と浴室外開口２２とを連通させた断面Ｓ字形状の扉内通路２３とで形成されている。該扉内通路２３は、浴室内開口２１の下縁に連接し浴室内に向けて傾斜を有する浴室内側下片２３ａと、該浴室内開口２１の上縁に設置され浴室外Ｂほど下方に位置するように傾斜を有する浴室内側上片２３ｂと、浴室外開口２２の下縁に連設されて浴室内Ａほど下方に位置するように傾斜を有する浴室外側下片２３ｃとを有している。この浴室内側下片２３ａの傾斜は、該浴室内側下片２３ａに付着した水滴を浴室内に流下させることができ、また、浴室内側上片２３ｂの傾斜は、該浴室内側上片２３ｂの上面及び下面に付着した水滴を浴室内側下片２３ａに流下させることができる。また、浴室外側下片２３ｃの傾斜によっても、浴室外側下片２３ｃに付着した水滴を浴室内に戻すことが可能である。このような構成を備えるガラリ部２は、通気口を確保しつつ脱衣室への漏水を防止できるようになっている。
【００１８】
このように構成される浴室ドア６を閉じる際には、浴室ドア６に設けられた把持部１２を入浴者が片手で把持し、浴室ドア６を引き込んで浴室開口部を閉塞する。このとき、浴室ドア６の回動により生じる空気の移動によって浴室内の気圧が上昇するが、この浴室内の気圧を上昇せしめる増加分の空気の一部はガラリ部２に設けられた浴室内開口２１、扉内通路２３及び浴室外開口２２を通流して浴室外Ｂに流出する。このガラリ部２から流出できなかった増加分の空気は、ガラリ部２の上部に設けた開口部３を通流して外部に放出される。開口部３には、逆止弁４が設置されているが、該逆止弁４は浴室内Ａから浴室外Ｂへの通流ができるようになっており、浴室内と浴室外との圧力差によって弁蓋４２が浴室外Ｂ方向に回動し開放することができるようになっている。
【００１９】
更に詳述すると、浴室ドア６の閉塞に伴い増加した空気のうち、ガラリ部２から流出しなかった分が逆止弁４の弁蓋４２を押して外部に流出するのであるが、該逆止弁４は複数箇所に取付けられているため、その増加分の圧力に応じて作動することが可能となっている。
【００２０】
本実施形態においては、一つの逆止弁４を構成する弁蓋４２が小さく形成されているため、微弱な力によっても浴室外Ｂ方向に回動することができるようになっており、浴室ドア６をゆっくり閉じた場合に生じる僅かな増加分の空気であっても外部に放出することができるようになっている。一方、浴室ドア６を勢いよく閉じた場合には、浴室ドア６により浴室内に多くの空気が送り込まれて大きく昇圧するため、複数の逆止弁４の弁蓋４２が同時に開放し、該増加分の空気はすべて外部に流出することができる。要するに、瞬間的な気圧の上昇にも対応することができると共に、昇圧の大小に係わらずに浴室内の気圧が一定に保たれる。その結果、浴室ドア６を勢いよく閉じた場合やゆっくり閉じた場合のいずれの場合であっても、浴室ドア６の閉塞する速度に係わらず常に一定の力で浴室ドア６を操作できる上に、閉塞時の浴室が密閉される瞬間に生じる抵抗を発生させずに浴室ドア６を閉じることができる。
【００２１】
浴室ドア６が閉塞されている状態において浴室内の浴室換気装置を作動した場合、逆止弁４は浴室外Ｂから浴室内Ａへの空気の流れを阻止するが、浴室ドア６の下部に設けられたガラリ部２によって、浴室外Ｂから浴室内Ａに空気を流入させることが可能なので、浴室内の気圧を一定に保つことが可能となる。そのため、浴室換気装置の換気効率を低下させることがない上に、浴室内が負圧状態とはならないため、閉塞された浴室ドア６を開けるに当たっても、いつも一定の操作力で開放させることができる。
【００２２】
また、通常の状態では逆止弁４は浴室ドア６の開口部３を閉塞しているため、入浴者が洗い場を使用しているとき等に、脱衣室からの冷たい外気が大量に流入することが無い。即ち、浴室内の温度が急に下降したり、また、冷たい外気が入浴者の身体に直接当たったりすることがないため、入浴者が不快に感じることを回避することができる。また、浴室を使用することによって飛散する水滴も、該開口部３を通して浴室内から漏水することも無い。
【００２３】
更に、上記の構成の浴室ドア６であれば、例えば高層マンションの高層階において、浴室に設置された窓が開放された状態で突風が吹き込んで浴室内が正圧状態となって生ずる、天井点検口がずれて落下する等の危険も回避することができるという利点をも有する。
【００２４】
以上、浴室ドア６の一例として浴室ドア本体１の一側部が枢支され、且つ他端部が浴室外方に向けて弧状に移動する浴室ドア６に基づいて本発明を説明したが、浴室ドア６は浴室内に引き込むようにして開放する浴室ドア６であっても本発明を適用することができる。また、逆止弁４の構成や、ガラリ部２の構成は本実施形態のものに限定されない。
【図面の簡単な説明】
【００２５】
【図１】本発明の一実施形態の要部側断面図である。
【図２】同上の脱衣室側から見た正面図である。
【符号の説明】
【００２６】
１      浴室ドア本体
２      ガラリ部
２１    浴室内開口
２２    浴室外開口
２３    扉内通路
２３ａ  浴室内側下片
２３ｂ  浴室内側上片
２３ｃ  浴室外側下片
３      開口部
４      逆止弁
４１    突起部
４２    弁蓋
４３    軸支部
６      浴室用開きドア（浴室ドア）
Ａ      浴室内側
Ｂ      浴室外側（脱衣室側）
【図１】
2010031525.tif 000003
【図２】
2010031525.tif 000004